(57)【要約】【課題】駆動回路が破損することを抑制する。【解決手段】電子機器（１）の筐体の外部に向けて凸となるように湾曲した表示部（３）と、表示部（３）よりも筐体の内部側に配置され、表示部（３）を駆動するための駆動回路（５）を実装した基板（４）と、を備え、表示部（３）と基板（４）との間には、表示部（３）に対して基板（４）を固定するためのスペーサ（６）が配置されている。【選択図】図１
2020101641.tif 000002
【特許請求の範囲】
【請求項１】
電子機器に備えられた表示装置であって、
上記電子機器の筐体の外部に向けて凸となるように湾曲した表示部と、
上記表示部よりも上記筐体の内部側に配置され、上記表示部を駆動するための駆動回路を実装した基板と、を備え、
上記表示部と上記基板との間には、上記表示部に対して上記基板を固定するためのスペーサが配置されている、表示装置。
【請求項２】
上記スペーサは、弾性材料で形成されている、請求項１に記載の表示装置。
【請求項３】
上記スペーサにおける上記表示部と対向する側の面は、上記表示部の形状に対応した曲率を有する形状を有している、請求項１または２に記載の表示装置。
【請求項４】
少なくとも１つの表示装置を備えた電子機器であって、
上記表示装置は、
上記電子機器の筐体の外部に向けて凸となるように湾曲した表示部と、
上記表示部よりも上記筐体の内部側に配置され、上記表示部を駆動するための駆動回路を実装した基板と、を備え、
上記表示部と上記基板との間には、上記表示部に対して上記基板を固定するためのスペーサが配置されている、電子機器。
【発明の詳細な説明】
【技術分野】
【０００１】
本発明は表示装置および電子機器に関する。
【背景技術】
【０００２】
特許文献１では、額縁寸法を小さくすると共に、薄型化を図ることが可能な表示モジュールが開示されている。上記表示モジュールは、平面状の表示パネルを備え、表示パネルに対向するように配置されるフレキシブル基板（ＦＰＣ）に表示パネルを駆動するための駆動回路が設けられている。
【先行技術文献】
【特許文献】
【０００３】
【特許文献１】特開２００７−７９１３３号公報
【発明の概要】
【発明が解決しようとする課題】
【０００４】
上記特許文献１に記載の技術では、表示パネルの形状が平面形状であったため、ＦＰＣは表示パネルと面で接触するように固定される。しかしながら、仮に表示パネルの形状を曲面形状とした場合、ＦＰＣは表示パネルと複数の点でのみ接触するように固定される。そして、ＦＰＣが表示パネルと複数の点でのみ接触するように固定されることにより、ＦＰＣの特定の位置に応力がかかり、ＦＰＣに設けられた駆動回路の特定の位置にも応力がかかる。または、ＦＰＣが、筐体の外部に向けて凸となるように湾曲した形状の表示パネルと対応する形状へ変形することにより駆動回路の特定の位置に応力がかかる。その結果、駆動回路に損傷が発生するおそれがある。
【０００５】
本発明の一態様は、上記問題点に鑑みて為されたものであり、その目的は、駆動回路が破損することを抑制することができる表示装置などを実現することにある。
【課題を解決するための手段】
【０００６】
上記の課題を解決するために、本発明の一態様に係る表示装置は、電子機器に備えられた表示装置であって、上記電子機器の筐体の外部に向けて凸となるように湾曲した表示部と、上記表示部よりも上記筐体の内部側に配置され、上記表示部を駆動するための駆動回路を実装した基板と、を備え、上記表示部と上記基板との間には、上記表示部に対して上記基板を固定するためのスペーサが配置されている。
【０００７】
また、上記の課題を解決するために、本発明の一態様に係る電子機器は、少なくとも１つの表示装置を備えた電子機器であって、上記表示装置は、上記電子機器の筐体の外部に向けて凸となるように湾曲した表示部と、上記表示部よりも上記筐体の内部側に配置され、上記表示部を駆動するための駆動回路を実装した基板と、を備え、上記表示部と上記基板との間には、上記表示部に対して上記基板を固定するためのスペーサが配置されている。
【発明の効果】
【０００８】
本発明の一態様によれば、駆動回路が損傷することを抑制できる。
【図面の簡単な説明】
【０００９】
【図１】本発明の実施形態に係る電子機器の概要構成を示す模式図である。
【図２】本発明の実施形態に係る表示装置の概要構成を示す模式図である。
【図３】本発明の実施形態に係る表示装置の変形例の概要構成を示す模式図である。
【発明を実施するための形態】
【００１０】
以下、本発明の一実施形態について、図１および図２を用いて詳細に説明する。図１は、本実施形態に係る電子機器の一例の断面の模式図であり、図２は、本実施形態に係る表示装置の一例の断面の模式図である。なお、本実施形態に係る表示装置は、表示部が電子機器の筐体の外部に向けて凸となるよう湾曲している、例えば、スマートフォンなどの電子機器に使用される。
【００１１】
本実施形態に係る電子機器１は、表示装置２、電池７、筐体８、および制御装置９を備える。電池７、筐体８、および制御装置９は、数、性能、および設置位置などは限定されない。
【００１２】
〔表示装置〕
表示装置２は、表示部３、基板４、駆動回路５、およびスペーサ６を備える。
【００１３】
（表示部）
表示部３は、スマートフォンの筐体８の外部に向けて凸となるように湾曲した形状をしている。
【００１４】
本実施形態では、表示部３はカバーガラス３１と表示パネル３２から構成されているが、表示部３はカバーガラス３１を備えなくてもよい。
【００１５】
図２では、カバーガラス３１と、凸形状表示パネル３２として一層の凸形状をした表示パネルと、を合わせて表示部３として備える場合を示したが、複数の凸形状をした表示パネルを凸形状表示パネル３２としてよい。具体的な凸形状表示パネル３２として、ＯＬＥＤであってよく、液晶ディスプレイであってもよい。
【００１６】
（基板）
基板４は、上記表示部よりも上記筐体の内部側に配置される。そして、基板４の電池７に対向する側の面に後述する駆動回路５が実装された基板である。図１では、基板４がフレキシブルプリント基板（ＦＰＣとも称する）である場合を示した。しかし、基板４はＦＰＣに限定されず、後述する駆動回路５が設置された基板であれば限定されない。
【００１７】
（駆動回路）
駆動回路５は、特に限定されず、基板４の電池７に対向する側の面に設置される、表示部を駆動するためのドライバＩＣなどの回路であってよい。もちろん、駆動回路５は、基板４の電池７に対向する側の面の裏側に設置されてもよい。
【００１８】
（スペーサ）
スペーサ６は、弾性材料で形成される。スペーサ６として用いることのできる具体的な弾性材料は、ＰＥＴ機材の両面テープ、またはＰＥＴ付のクッション材等である。スペーサ６は、表示部３と基板４との間に配置され、表示部３に対して基板４を固定する。そのため、スペーサ６は、表示部３に対向する側の面と、基板４に対向する面と、に接着剤などを用いることにより表示部３に対して基板４を固定してよい。
【００１９】
スペーサ６は、表示部３に対して基板４を固定できれば、スペーサ６の表示部３および基板４それぞれに対向する側の面の大きさおよび形状は限定されない。
【００２０】
スペーサ６の形状の一例として、表示部３における曲率が小さい場合（換言すれば、表示部３が平面形状に近い場合）では、スペーサ６の表示部３に対向する面と、スペーサ６の基板４に対向する面と、に接着性を有する両面テープを用いてもよい。表示部３が平面形状に近いため、両面テープをスペーサ６として用いることにより、スペーサ６としての両面テープが変形することで、表示部３の凸形状の影響を基板４に伝えにくくすることができる。
【００２１】
一方、表示部３における曲率が大きい場合（換言すれば、表示部３が筐体８の外部に向けて大きく凸となるように湾曲している場合）において、両面テープをスペーサ６として用いると、表示部３の筐体８の外部に向けて凸となるように湾曲した形状に応じてスペーサ６が変形する。そして、スペーサ６が基板４と複数の点で接触することにより、基板４の特定の位置に応力がかかり、駆動回路５の特定の部位に応力が集中する。その結果、駆動回路５が破損するおそれがある。
【００２２】
そこで、表示部３における曲率が大きい場合では、スペーサ６は、表示部３と基板４との間の距離に対応した厚さを備えた板状の弾性材であることが好ましい（図３参照）。図３に示すように、本変形例のスペーサ６の形状は、図２に示すスペーサ６の形状と異なっている。
【００２３】
例えば、スペーサ６の表示部３に対向する側の面が表示部３の形状に対応した曲率を有する形状を有し、スペーサ６の基板４に対向する側の面が平面となる形状である。
【００２４】
スペーサ６が表示部３と基板４との間の距離に対応した厚さを備えた板状の弾性材であることにより、スペーサ６の表示部に対向した側の面近傍で表示部３の湾曲形状を吸収させて基板４に対向する側の面の変形を抑制することによってスペーサ６が基板４と面で接触しやすくなる。あるいは、スペーサ６の表示部３に対向する側の面を表示部３の形状に対応した曲率を有する形状とし、スペーサ６の基板４に対向する側の面が平面となる形状とすることにより、スペーサ６の基板４と接触する面が平面となるように構成してもよい。上記のような構成とすることにより、基板４に設置される駆動回路５の特定の部位に応力が集中しない。その結果、応力の集中により駆動回路５が破損することを抑制できる。
【００２５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００２６】
〔まとめ〕
本発明の態様１に係る表示装置（２）は、電子機器（１）に備えられた表示装置（２）であって、上記電子機器（１）の筐体（８）の外部に向けて凸となるように湾曲した表示部（３）と、上記表示部（３）よりも上記筐体（８）の内部側に配置され、上記表示部（３）を駆動するための駆動回路（５）を実装した基板（４）と、を備え、上記表示部（３）と上記基板（４）との間には、上記表示部（３）に対して上記基板（４）を固定するためのスペーサ（６）が配置されている。
【００２７】
上記の構成によれば、基板（４）をスペーサ（６）で表示部（３）に固定することにより基板（４）の特定の部位に応力が集中せず、駆動回路（５）が損傷することを抑制できる。
【００２８】
本発明の態様２に係る表示装置（２）は、上記態様１において、上記スペーサ（６）は、弾性材料で形成されていてよい。
【００２９】
上記構成によれば、スペーサ（６）が弾性材料で形成されることによりスペーサ（６）が表示部（３）および基板（４）と面で接触する。それにより基板（４）の特定の部位に応力が集中せず、駆動回路（５）が破損することを抑制できる。
【００３０】
本発明の態様３に係る表示装置（１）は、上記態様１または２において、上記スペーサ（６）における上記表示部（３）と対向する側の面は、上記表示部（３）の形状に対応した曲率を有する形状を有してよい。
【００３１】
上記構成によれば、スペーサ（６）の表示部（３）と対向する側の面が表示部（３）の形状に対応して湾曲することにより、スペーサ（６）が表示部（３）および基板（４）と一層面で接触しやすくなる。
【００３２】
本発明の様態４に係る電子機器（１）は、少なくとも１つの表示装置（２）を備えた電子機器（１）であって、上記表示装置（２）は、上記電子機器（１）の筐体（８）の外部に向けて凸となるように湾曲した表示部（３）と、上記表示部（３）よりも上記筐体（８）の内部側に配置され、上記表示部（３）を駆動するための駆動回路（５）を実装した基板（４）と、を備え、上記表示部（３）と上記基板（４）との間には、上記表示部（３）に対して上記基板（４）を固定するためのスペーサ（６）が配置されている。
【００３３】
上記構成によれば、駆動回路（５）が損傷することを抑制できる。
【符号の説明】
【００３４】
１    電子機器
２    表示装置
３    表示部
４    基板
５    駆動回路
６    スペーサ
７    電池
８    筐体
９    制御装置
３１  カバーガラス
３２  凸形状表示パネル
【図１】
2020101641.tif 000003
【図２】
2020101641.tif 000004
【図３】
2020101641.tif 000005